(57)【要約】【課題】  道路車道部、歩道部、または平面部、道路縁石付近に於いて、不必要植物を枯死させることを目的として除草剤の散布作業を行う場合の、散布した除草剤の不必要植物への付着の効率化及び、不必要に散布された除草剤を回収する事によって大気中への飛散を防止し並びに回収した除草剤を貯留できる除草剤散布機を提供する。【解決手段】除草剤を不必要植物へ効率良く付着させる為に、各除草剤付着室への不必要植物の侵入を除草剤散布機先端に取り付けられた各センサーにより感知しその動作により、各制御弁を作動させ、適宜各室の噴霧ノズルより除草剤を噴霧散布し不必要植物に付着させる。そして除草剤付着室内で不必要植物に付着せずに霧状に浮遊している除草剤は除草剤付着室に設けられた回収口より吸引する事により、大気中に飛散する事を防止し、さらに空気と共に回収口より回収された除草剤は分離タンク内の渦巻管により空気と分離され貯留タンクに回収される。【選択図】図１
2011250777.tif 000002
【特許請求の範囲】
【請求項１】
底部が開口し水平方向に適宜長さを有する筒状の除草剤拡散防止カバーの内部を隔壁により分割される１個または複数の除草剤付着室を有し、該除草剤付着室には、除草剤供給管から供給される除草剤の噴霧ノズルを制御弁を介して配置するとともに端部の開口部を集気口とする集気管を備え、該集気管を別体に設けるバキュームポンプに管路的に繋がる除草剤と空気とを分離する為の分離タンク及び分離タンク内部に配するバキュームポンプに繋がる副官を備えた螺旋状の集気管の端部を除草剤の貯留タンクに導かせ、前記筒状の除草剤拡散防止カバー、隔壁の底部には全周にわたって膜状のカーテンを垂下設して成る除草剤散布機。
【請求項２】
前述分離タンク内に、集気管を螺旋状に配し螺旋状の集気管の旋回内側に螺旋状の集気管の旋回内側内部の空気を取り出す為の副管を設けている事を特徴とした請求項１の除草剤散布機。
【発明の詳細な説明】
【技術分野】
【０００１】  本発明は除草剤等の散布時における散布材料の不必要植物への付着を効率的に行う事が出来るとともに、過剰に散布された散布最良を回収するとともに同時に回収される空気と分離し、さらにそれを貯留する事が出来る、除草剤散布機に関する。
【背景技術】
【０００２】  従来の除草剤散布機には、除草剤等を不必要植物へ散布する時に発生する、除草剤が不必要に大気中へ飛散する事を防止する為に噴霧ノズル付近に傘状のカバーやカーテン状の膜、フード状の覆いカバーや遮蔽シート等を取付けて除草剤の大気中への不必要な飛散を防ぐ対策を付したものがある。また遮蔽シートの設置により飛散防止を抑制する方法などがある。例えば、非特許文献１〜１３、非特許文献１〜５、が知られている。
【先行技術文献】
【特許文献】
【０００３】
【特許文献１】  特開２０１０−６７９２
【特許文献２】  特開２００８−３０７０４０
【特許文献３】  特開２００４−１４３０８１
【特許文献４】  特開２００３−２３５４３２
【特許文献５】  特願平１１−７３９８
【特許文献６】  特願平１１−５６２０５
【特許文献７】  特開平１１−５６２０１
【特許文献８】  特開平１１−３２６５０
【特許文献９】  特開平１１−１３７１５７
【特許文献１０】  実用新案第３１３８５１０号
【特許文献１１】  実用新案第３１３３００５号
【特許文献１２】  実用新案第３１２８４２５号
【特許文献１３】  実用新案第３０４７４０７号
【非特許文献】
【０００４】
【非特許文献１】  「ハラックス社  畝間除草機  ガードマン  Ｊ−１」
【非特許文献２】  「みのる産業  除草剤専用散布機  草退治桃太郎」
【非特許文献３】  「株式会社コルヌコピア  ミニマントラプラス」
【非特許文献４】  「北海道農業研究成果情報  飛散防止カバー付き畦間散布装置」
【非特許文献５】  「ＪＡ鳥取いなば  営農情報  遮蔽シートの設置」
【発明の概要】
【発明が解決しようとする課題】
【０００５】  以上に述べた従来の除草剤散布機では、霧状に散布された除草剤が不必要植物へ付着せずにカバーやカーテン、フード状の覆いカバー、遮蔽シートの隙間から大気中に不必要に飛散し、除草剤の散布付近に生育する不必要植物以外にも付着することにより、目的外植物を枯らせる事などがあり、不必要な飛散を防止する効果は不十分であった。そして、不必要植物に付着する事が出来ずに過剰に散布された除草剤を回収し分離する事や回収した除草剤を貯留する事は無かった。【０００６】  また、大気中へ不必要に飛散した除草剤を作業員が吸咽してしまう事や、肌や衣服に付着する等の被害等も発生していることから周囲環境への影響も問題視されている。【０００７】  さらには散布した除草剤の中で不必要植物に付着出来なかった除草剤は、大気中に飛散し、また地面に落下してしまう事から必要以上の量の除草剤を散布していた。【０００８】  本発明は、このような従来の構成が有していた問題を解決しようとするものであり、除草剤の散布により枯れ死等を目的とする不必要植物に効果的に除草剤を付着させると共に、過剰に散布された除草剤を回収する事により除草剤が大気中へ不必要に飛散する事を防止し、さらに過剰に散布された除草剤を回収し貯留することにより再使用が可能となり、除草剤の消費量を少なくする事を目的とするものであろ。
【課題を解決するための手段】
【０００９】  そして、本発明は上記目的を達成する為に、除草剤を散布する噴霧ノズルと、不必要植物の除草剤付着室への侵入を感知するセンサー及び、その感知動作により作動し適宜に散布の必要のある除草剤付着室に有する各噴霧ノズルへ除草剤を供給する為の制御弁を備え、さらに除草剤付着室へ過剰に散布された除草剤を回収する為の回収口を備えた筒状の除草剤拡散防止カバー及び隔壁から成る除草剤付着室と、噴霧ノズルに除草剤を供給する為の管路的に繋がるホースおよび液体タンクを備え、さらに除草剤付着室で霧状に浮遊している過剰に散布された除草剤を空気と共に前記回収口より吸引回収する為の管路的に繋がるホース及び吸引装置、回収された空気と除草剤を分離する為の、内部に渦巻き管と副管を備えた分離タンク、及びそれに繋がる除草剤を貯留する為の貯留タンクを備えたものである。【００１０】  また、第２の解決手段は、前述した回収口より吸引した空気と除草剤を管路を介して除草剤分離タンク内部に配した渦巻き管に誘導し、該渦巻き管内を高速で空気と除草剤を移動させることによって発生する遠心分離作用によって空気と除草剤を分離させ、渦巻き管内での旋回内側の空気を副官により管路的に繋がるホース及び吸引装置によって回収する事により、残された渦巻き管内での旋回外側の除草剤は慣性の法則により前述管内を進み貯留タンクへと誘導される。【００１１】  上記第１の解決手段による作用は次の通りである。すなわち道路車道部、歩道部、または平面部、道路縁石付近に生育している不必要植物への除草剤の散布作業は、駆動体によって前進する除草剤散布機の筒状の除草剤飛散防止カバーの前部に取り付けられたセンサーによって不必要植物の除草剤付着室への侵入を感知し、その動作によって作動する制御弁により各噴霧ノズルより除草剤付着室への散布が適宜行われる。尚、センサーの動作によって行われる制御弁の動作はオペレーターの仕業によって行われても良い。【００１２】  噴霧ノズルから適宜散布された霧状の除草剤は除草剤付着室内に於いて浮遊し、目的とする不必要植物に効率的に付着する事が出来る。【００１３】  また、不必要植物に付着せず、除草剤付着室内部に残留している過剰に散布された除草剤は除草剤噴霧ノズルに対面する筒状の除草剤飛散防止カバーに有する集気口から空気と共に吸引回収され分離タンク内に設けられている渦巻き管内に発生する遠心分離作用により除草剤と空気とに分離され、分離タンク下部に運ばれ滴下後、貯留タンクに貯留される事によって植物に付着しなかった不必要な除草剤が回収され再使用される為、除草剤の節約にもなる。【００１４】第２の解決手段による作用は次の通りである。前述した回収口より吸引された空気と除草剤は除草剤分離タンク内部に配した渦巻き管内を高速で旋回移動する事により移動物に遠心分離作用が働き、空気は渦巻き管内旋回内側を進み、空気より重たい除草剤は渦巻き管内旋回外側に移動する事によって空気と除草剤は分離し、渦巻き管内旋回内側の空気を副官により管路的に繋がるホース及び吸引装置によって回収する事により、残された渦巻き管内旋回外側の除草剤は慣性により前述管内を進み貯留タンクへと誘導される。【００１５】  そして、除草剤付着室内部への噴霧ノズルからの除草剤の散布量に対し、集気口からの空気の吸引量が多いことから、除草剤付着室内部の気圧は本体外部の気圧より低く負圧になる為に除草剤付着室内部に残留している霧状の除草剤は除草剤付着室外部に漏出し大気中へ飛散することなく回収され分離し貯留される。
【発明の効果】
【００１６】  上述したように本発明の除草剤散布機は除草剤を霧状に除草剤付着室内に散布することにより除草剤を前記室内に充満させ効率的に除草剤付着室内に侵入した不必要植物に効率良く付着させる事が出来る。【００１７】  また除草剤付着室内に残留する過剰に散布された除草剤を回収口より吸引する事により除草剤の除草剤付着室からの漏出による大気中への不必要な飛散を防止するとともに、回収した除草剤を貯留することにより再使用できるという効果を発揮する。【００１８】  また、筒状の除草剤飛散防止カバー及び隔壁下部に取り付けた膜状のカーテンはその柔軟性により地面の凹凸にも対応し除草剤が除草剤散布機から漏出する原因となる隙間の発生を抑制する効果を発揮する。【００１９】  さらには本発明による除草剤散布機は除草剤付着室からの除草剤の大気中への不必要な飛散が無い為、人や人家のあるような場所でも除草剤の使用が可能であり、また作業員の除草剤の吸咽や衣服や肌への付着を防止できるなど、環境にも優しい。【００２０】  また、センサーにより不必要植物が各除草剤付着室へ進入する事を感知し、その動作によって作動する制御弁により各除草剤付着室に設けられている隔噴霧ノズルから除草剤を適宜供給できる事により、除草剤付着室内の不必要植物の有無に応じ除草剤を適宜供給することで、使用量が少なくなり経済的である。【００２１】  そして本発明は散布された除草剤が大気中に不必要に飛散しないことから、今まで、使用が控えられていた不必要植物を枯れ死させるために除草剤を使用する事が可能となり、不必要植物を刈り取るだけで根絶やしにする事が出来なかった除草作業が、除草剤の種類の選択によって根絶やしが可能となり、不必要植物の根の成長による道路舗装などへの破壊被害を防止できる等の効果の他、不必要植物の成長に合わせて行われていた草刈り作業の回数等の軽減が図れる効果がある。
【図面の簡単な説明】
【００２２】
【図１】本発明の使用状況を模した図
【図２】除草剤付着室本体の３−１集気管側からの斜視図
【図３】除草剤付着室本体の２−１除草剤供給管側からの斜視図
【図４】除草剤付着室本体のＡ−Ａ´断面図
【図５】除草剤付着室本体の平面図
【図６】除草剤付着室本体の３−１集気管側からの側面図
【図７】除草剤付着室本体の２−１除草剤供給管側からの側面図
【図８】除草剤タンクの斜視図
【図９】コンプレッサーの略図
【図１０】除草剤タンクの側面図
【図１１】分離タンク蓋、分離タンク、貯留タンクの側面図
【図１２】バキュームポンプの略図
【図１３】分離タンク蓋、分離タンクの平面図
【図１４】分離タンク内の渦巻き管及び副管の平面図
【図１５】分離タンク内の渦巻き管及び副管の側面図
【図１６】渦巻き管への副管の取り付図
【図１７】渦巻き管及び副管の斜視図
【実施例】
【００２３】  以下、本発明の実施の形態を図１〜図１７に基づいて説明する。
図に於いて本発明は筒状の除草剤飛散防止カバー１と隔壁５と膜状のカーテン６から成る除草剤付着室２１及びセンサー２４と車輪２５を伴う除草剤散布機２２、貯留タンク１７、及び集気管３−１、集気管３−２、渦巻き管２６、分離タンク１９、集気管３−３、集気管３−４、バキュームポンプ１４と繋がる集気管路とまた、コンプレッサー９、送気管１３−２、送気管１３−１、除草剤タンク１０と繋がる送気管路そして、除草剤タンク１０、除草剤供給管２−２、除草剤供給管２−１、制御弁７、噴霧ノズル８と繋がる除草剤供給管路から成り、架台上２３に組み立てられ、駆動体２０によって移動、除草剤の散布作業を行う。
除草剤散布機２２は筒状の除草剤飛散防止カバー１、除草剤供給管２−１、制御弁７、噴霧ノズル８、集気管３−１、隔壁５、膜状のカーテン６、センサー２４、車輪２５から成っている。
除草剤タンク１０は除草剤供給口１１、安全弁１２、送気管１３−１、除草剤供給管２−２を伴っている。
分離タンク本体１９は集気管３−２、渦巻管２６、副管２７、分離タンク蓋１５、集気管３−３、分離タンク１６、貯留タンク１７から成っている。
コンプレッサー９は送気管１３−２を持ち除草剤タンク１０の送気管１３−１と連結される。
バキュームポンプ１４は集気管３−４を持ち分離タンク蓋１５の集気管３−３と連結される。
除草剤散布機２２に設けられている集気管３−１は分離タンク１６に設けられている集気管３−２と連結される。
除草剤散布機２２に設けられている除草剤供給管２−１は制御弁７を備え、除草剤タンク１０に設けられている除草剤供給管２−２と連結される。
分離タンク蓋１５、貯留タンク１７は分離タンク１６に圧着され密閉一体化され適宜分解する事が出来る。
車輪２５は除草剤散布機２２に取り付けられている。
渦巻き管２６は分離タンク１６内に組み込まれ、螺旋管内側部に集気管３−３に繋がる副管２７を有しており、始部は分離タンク１６に設けられている集気管３−２に連結され終部は貯留タンク１７へ向かっている。
除草剤付着室２１は筒状の除草剤飛散防止カバー１、隔壁５、膜状のカーテン６から成る室であり、１個または複数個をもって除草剤散布機２２を形成する。【００２４】  以下上記構成の動作を説明する。【００２５】  除草剤散布機２２は駆動体２０により移動し道路路面等に生育している不必要植物を膜状のカーテン６の隙間より除草剤付着室２１内に取り込み除草剤付着室２１内で霧状に滞留している除草剤を不必要植物に付着させる。【００２６】  除草剤散布機２２において、コンプレッサー９によって加圧された空気は送気管１３−２、送気管１３−１を介して除草剤タンク１０に送られ除草剤タンク１０内を加圧し、加圧された空気によって除草剤タンク１０内の除草剤は押し出され、除草剤供給管２−２、除草剤供給管２−１を介し、不必要植物の除草剤付着室１９への進入を感知するセンサー２４の動作によって作動する制御弁７の開閉により噴霧ノズル８より除草剤付着室２１内に霧状に散布され室内に滞留し不必要植物に付着する。【００２７】  除草剤付着室２１内にて不必要植物に付着出来なく霧状に滞留している除草剤はバキュームポンプ１４により、集気口３−５より集気管３−４、集気管３−３、副管２７を介して吸引される空気と共に集気口３−５、集気管３−１、集気管３−２を介して分離タンク１６内に設けられている渦巻管２６へ運ばれる。【００２８】  分離タンク１６へ空気と共に運ばれた除草剤は分離タンク１６内に設けられている渦巻き管２６内に発生する遠心分離作用によって空気から分離され渦巻き管２６内外壁に沿って移動し回収タンク１７へ貯留される。【００２９】  除草剤散布機２２の除草剤付着室２１内に於いては噴霧ノズル８より散布される除草剤の量よりバキュームポンプ１４によって集気口３−５より吸引される空気の量が多い為除草剤付着室２１内は外部の気圧より低くなり内部に滞留している除草剤は空気と共に外部に漏出し飛散されることなく集気口３−５より吸引され分離タンクへ１６と運ばれる。【００３０】  除草剤散布機２２の除草剤付着室２１は筒状の除草剤飛散防止カバー１、隔壁５、膜状のカーテン６によって１個または複数個の部屋に分離され除草剤散布機２２前部より除草剤付着室２１に侵入した、路面に生育している不必要植物の生育場所の有無の状況によりセンサー２３の感知動作により作動する制御弁７により除草剤の散布場所を適宜決定し効果的な除草剤の散布をおこなう。【００３１】  筒状の除草剤飛散防止カバー１及び隔壁５の下部に取り付けられた膜状のカーテン６は、不必要植物の除草剤付着室２１への進入を容易にするとともに、除草剤散布機２２下部と路面との隙間の発生を防止し、霧状に散布された除草剤が除草剤散布機２２の外部に漏出し大気中へ不必要に飛散する事を防止する効果がある。【００３２】  貯留タンク１７に貯留された除草剤はろ過し再使用する。
【産業上の利用可能性】
【００３３】  本発明では除草剤付着室内で噴霧された除草剤と不必要植物との接触が行われるという特徴から、除草剤を効率的に不必要植物に付着させる事ができる。【００３４】  本発明では、不必要植物に付着させる為に散布された除草剤は除草剤散布機から外部に漏出する事が無いので除草剤の不必要な大気中への飛散を防止できる【００３５】  そして除草剤が不必要に大気中に飛散しないことから、枯れ死除去を目的とする不必要植物以外への除草剤の付着を防止する事が出来る。【００３６】  さらには大気中に除草剤が不必要に飛散されないことから除草剤を散布している作業者の除草剤の吸咽や、皮膚、衣服への付着を防止するとともに人や人家付近での作業が可能となるなど環境に優しい。【００３７】  また、多種な除草剤の使用が可能になることから、除草剤の使用目的による除草剤の選択により根の根絶等、除草剤の使用目的を達成する事が可能となる。【００３８】  そして本発明の除草剤の回収によって、余分に散布された除草剤を回収し貯留され再使用されることから経費の節減にもなる。【００３９】  さらには、不必要植物を根から枯らす除草剤の使用が可能となり、舗装面等に不必要植物が生長する事による根の膨拡張により舗装体を破壊する等の不必要植物の生長による二次的被害を防止する効果も期待できる。【００４０】  また、各種効能の除草剤の安全で効果的な使用により道路上に生える不必要植物の根を根絶する事が可能であり不必要植物の生育が少なくなることから道路景観の保守にも役立つ事が期待できる。【００４１】  そして、本作業は従来の作業形態である人力作業から機械作業へ変わる事により作業性が向上し作業経費の節減にも繋がる。
【符号の説明】
【００４２】１筒状の除草剤拡散防止カバー
２−１除草剤供給管
２−２除草剤供給管
３−１集気管
３−２集気管
３−３集気管
３−４集気管
３−５集気口
４膜状のカーテン
５隔壁
７制御弁
８噴霧ノズル
９コンプレッサー
１０除草剤タンク
１１除草剤供給口
１２安全弁
１３−１送気管
１３−２送気管
１４バキュームポンプ
１５分離タンク蓋
１６分離タンク
１７貯留タンク
１９分離タンク本体
２０駆動体
２１除草剤付着室
２２除草剤散布機
２３架台
２４センサー
２５車輪
２６渦巻管
２７副管
【図１】
2011250777.tif 000003
【図２】
2011250777.tif 000004
【図３】
2011250777.tif 000005
【図４】
2011250777.tif 000006
【図５】
2011250777.tif 000007
【図６】
2011250777.tif 000008
【図７】
2011250777.tif 000009
【図８】
2011250777.tif 000010
【図９】
2011250777.tif 000011
【図１０】
2011250777.tif 000012
【図１１】
2011250777.tif 000013
【図１２】
2011250777.tif 000014
【図１３】
2011250777.tif 000015
【図１４】
2011250777.tif 000016
【図１５】
2011250777.tif 000017
【図１６】
2011250777.tif 000018
【図１７】
2011250777.tif 000019